(57)【要約】【課題】  光ディスクレコーダにおいて、光ディスクのフォーマット中またはデータ書き込み中に停電が発生した場合に、データのバックアップを行うことなく、電力回復後に停電が発生した領域からフォーマットを再開し又はデータの書き込みを続行する。【解決手段】  ＩＣタグ６及びアンテナコイル７備えた光ディスク２に対して、所定単位のフォーマット又はデータの書き込みが完了するたびに、データ通信部１６により光ディスク２のＩＣタグ６にフォーマット又はデータの書き込みが完了した範囲を示すアドレス情報を書き込む。停電検出部１７により停電の発生及びその後の電力の回復が検出されたときに、データ通信部１６によりＩＣタグ６に記憶されているアドレス情報を読み出し、読み出したアドレス情報を基にして、停電発生時にフォーマット又はデータの書き込みを行っていた領域からフォーマット又はデータの書き込みを続行する。【選択図】図１
2005302225.tif 000002
【特許請求の範囲】
【請求項１】
光ディスクに対して第１の強度のレーザ光を照射して、光ディスクに対してフォーマット及びデータの書き込みを行い、光ディスクに対して前記第１の強度よりも弱い第２の強度のレーザ光を照射し、光ディスクからの反射光を用いて光ディスクからデータ及び光ディスクのアドレス情報を読み出す光ピックアップと、前記光ピックアップを駆動する光ピックアップ駆動手段と、ＴＶ放送信号を受信するチューナと、前記チューナにより受信したＴＶ放送信号に所定の信号処理を行い、光ディスクに書き込み可能なディジタル信号に変換する信号変換手段と、前記ディジタル信号を一時的に記憶するバッファメモリと、前記各部を制御する制御手段を備えた光ディスクレコーダにおいて、
光ディスクがＩＣタグ及びアンテナコイルを備えている場合に、光ディスクのＩＣタグとの間でデータの送受信を行うデータ通信手段と、停電の発生及び電力の回復を検出する停電検出手段をさらに備え、
前記光ピックアップを駆動して光ディスクをフォーマットし又は光ディスクにデータを書き込む際、所定単位のフォーマット又はデータの書き込みが完了するたびに、前記データ通信手段によりフォーマット又はデータの書き込みが完了した範囲を示すアドレス情報を順次光ディスクのＩＣタグに書き込み、
前記停電検出手段により停電の発生及びその後の電力の回復が検出されたときに、前記データ通信手段により前記ＩＣタグに記憶されているアドレス情報を読み出し、読み出したアドレス情報を基にして、停電発生時にフォーマット又はデータの書き込みを行っていた領域からフォーマット又はデータの書き込みを続行することにより、バックアップ電源を用いることなく、フォーマットの無効又は書き込まれたデータの破壊を防止したことを特徴とする光ディスクレコーダ。
【請求項２】
光ディスクに対してレーザ光を照射してフォーマット及びデータの書き込みを行う光ディスクレコーダにおいて、
所定単位のフォーマット又はデータの書き込みが完了するたびに、フォーマット又はデータの書き込みが完了した範囲を示すアドレス情報を順次不揮発性メモリに記憶し、
停電発生後、電力回復時に、前記不揮発性メモリに記憶されたアドレス情報を基にして、停電発生時にフォーマット又はデータの書き込みを行っていた領域からフォーマット又はデータの書き込みを続行することを特徴とする光ディスクレコーダ。
【請求項３】
前記不揮発性メモリは、光ディスクに設けられたＩＣタグであることを特徴とする請求項２に記載の光ディスクレコーダ。
【発明の詳細な説明】
【技術分野】
【０００１】
本発明は、書き込み可能な光ディスクに対してフォーマット及びデータの書き込みを行う光ディスクレコーダ、特にその停電時の対策に関する。
【背景技術】
【０００２】
書き込み可能な光ディスクなどの記録媒体に対して、フォーマットやデータ書き込みなどを行っている途中に停電が生じた場合、単にフォーマットやデータ書き込みなどが中断されるだけでなく、フォーマットが無効になったり、あるいは書き込み中のデータが破壊されて読み出し不能になったりすることが起こりうる。そのため、従来から、ＳＲＡＭ及びバックアップ用電源を設け、ＳＲＡＭに記憶されているデータをバックアップする光ディスクレコーダが提案されている（特許文献１、特許文献２参照）。
【０００３】
また、データを光ディスクとハードディスクの両方に書き込み、光ディスクへのデータの書き込みが失敗した場合であってもハードディスクに書き込まれたデータを用いて光ディスクへのデータの書き込みをやり直すＤＶＤ／ハードディスク一体型記録再生装置も提案されている（特許文献３参照）。
【０００４】
さらに、光ディスクのカートリッジにバックアップメモリを設け、データの書き込み時にバックアップメモリにもデータを書き込んでおき、データ書き込み時にエラーが発生すると、バックアップメモリに格納されているデータを光ディスクに記録する光ディスクレコーダが提案されている（特許文献４参照）。
【０００５】
また、ビデオテープカセットにＩＣメモリを設け、ビデオテープに記録されている内容に関する情報、例えばタイトルや撮影日時などを記憶するビデオカメラも提案されている（特許文献５参照）。
【特許文献１】特開平１０−３０２３７１号公報
【特許文献２】特開平４−２４８２３公報
【特許文献３】実登３０９０１３５号公報
【特許文献４】特開２００３−２６３８４０号公報
【特許文献５】特開２００３−２５９２７０号公報
【発明の開示】
【発明が解決しようとする課題】
【０００６】
特許文献１又は２の光ディスク装置では、ＳＲＡＭに記憶されたデータを長時間バックアップするためには、大容量のバックアップ用電源を必要とするため、装置自体が大型化する。一方、バックアップ用電源の容量が少ない場合、停電が長時間に及ぶとバックアップされていたデータも失われ、光ディスクへのデータの書き込みなどが不完全なままで終了し、データの読み出しが不能となる可能性がある。
【０００７】
また、特許文献３又は４の光ディスク装置で停電が生じた場合、ハードディスクやバックアップメモリへのデータの書き込みも同時に停止するので、ハードディスクやバックアップメモリへのデータの書き込みが不完全なままで終了し、ハードディスクやバックアップメモリからデータの読み出しが不能となる可能性がある。
【０００８】
特許文献５のビデオカメラでは、不揮発性のＩＣメモリを映像のタイトルや撮影日時などの付随的な情報の記録にのみ使用し、バッテリの交換の際には、ＩＣメモリに記憶されるデータをバックアップメモリに記憶することが行われている。そのため、メモリ構成が複雑な上に、不揮発性のＩＣメモリが有効に使用されていない。
【０００９】
なお、ＴＶチューナで受信した映像信号を光ディスクに同時録画している時に停電が発生した場合、映像信号自体を受信することができなくなる。そのため、データをバックアップすること自体あまり意味がなく、停電終了後電源回復時にいかにデータを再生可能な状態に修復するかが重要である。
【００１０】
本発明は、上記の問題を解決するためになされたものであり、光ディスクのフォーマット中またはデータ書き込み中に停電が発生した場合に、データのバックアップを行うことなく、電力回復後に停電が発生した領域からフォーマットを再開し、またはデータの書き込みを再開しうる光ディスク装置を提供することを目的とする。
【課題を解決するための手段】
【００１１】
上記目的を達成するため、請求項１の発明は、光ディスクに対して第１の強度のレーザ光を照射して、光ディスクに対してフォーマット及びデータの書き込みを行い、光ディスクに対して前記第１の強度よりも弱い第２の強度のレーザ光を照射し、光ディスクからの反射光を用いて光ディスクからデータ及び光ディスクのアドレス情報を読み出す光ピックアップと、前記光ピックアップを駆動する光ピックアップ駆動手段と、ＴＶ放送信号を受信するチューナと、前記チューナにより受信したＴＶ放送信号に所定の信号処理を行い、光ディスクに書き込み可能なディジタル信号に変換する信号変換手段と、前記ディジタル信号を一時的に記憶するバッファメモリと、前記各部を制御する制御手段を備えた光ディスクレコーダにおいて、光ディスクがＩＣタグ及びアンテナコイルを備えている場合に、光ディスクのＩＣタグとの間でデータの送受信を行うデータ通信手段と、停電の発生及び電力の回復を検出する停電検出手段をさらに備え、前記光ピックアップを駆動して光ディスクをフォーマットし又は光ディスクにデータを書き込む際、所定単位のフォーマット又はデータの書き込みが完了するたびに、前記データ通信手段によりフォーマット又はデータの書き込みが完了した範囲を示すアドレス情報を順次光ディスクのＩＣタグに書き込み、前記停電検出手段により停電の発生及びその後の電力の回復が検出されたときに、前記データ通信手段により前記ＩＣタグに記憶されているアドレス情報を読み出し、読み出したアドレス情報を基にして、停電発生時にフォーマット又はデータの書き込みを行っていた領域からフォーマット又はデータの書き込みを続行することにより、バックアップ電源を用いることなく、フォーマットの無効又は書き込まれたデータの破壊を防止したことを特徴とする。
【００１２】
請求項２の発明は、光ディスクに対してレーザ光を照射してフォーマット及びデータの書き込みを行う光ディスクレコーダにおいて、所定単位のフォーマット又はデータの書き込みが完了するたびに、フォーマット又はデータの書き込みが完了した範囲を示すアドレス情報を順次不揮発性メモリに記憶し、停電発生後、電力回復時に、前記不揮発性メモリに記憶されたアドレス情報を基にして、停電発生時にフォーマット又はデータの書き込みを行っていた領域からフォーマット又はデータの書き込みを続行することを特徴とする。
【００１３】
請求項３の発明は、請求項２の光ディスクレコーダにおいて、前記不揮発性メモリは、光ディスクに設けられたＩＣタグであることを特徴とする。
【発明の効果】
【００１４】
請求項１の発明によれば、すでにフォーマット又はデータの書き込みが完了した領域に関するアドレス情報が不揮発性メモリである光ディスクに設けられたＩＣタグに順次書き込まれるので、フォーマット中又はデータの書き込み中に停電が発生しても、アドレス情報はそのままＩＣタグに保存される。そのため、電力回復時には、ＩＣタグに保存されているアドレス情報を読み出すことにより、すでにフォーマット又はデータの書き込みが完了した領域及び停電発生時にフォーマット中又はデータの書き込み中であった領域を知ることができる。従って、停電発生時にフォーマット中又はデータの書き込み中であった領域からフォーマット又はデータの書き込みを続行すれば、すでに行ったフォーマットが無効になることはなく、また、すでに書き込まれたデータ（又は書き込み中のデータファイル）が破壊されることなく再生可能となる。特に、ＩＣタグは不揮発性メモリであるので、バックアップ電源が不要となり、光ディスクレコーダの大型化やコストアップをもたらすこともない。さらに、ＩＣタグは光ディスク自体に設けられているので、電力回復後に光ディスクが光ディスクレコーダから取り出されたとしても、ＩＣタグに記憶されたアドレス情報は失われることはない。そのため、再度その光ディスクを光ディスクレコーダに装填すると、停電発生時にフォーマット中又はデータの書き込み中であった領域からフォーマット又はデータの書き込みを続行することができる。
【００１５】
請求項２の発明によれば、すでにフォーマット又はデータの書き込みが完了した領域に関するアドレス情報が不揮発性メモリに順次書き込まれるので、フォーマット中又はデータの書き込み中に停電が発生しても、アドレス情報はそのまま不揮発性メモリに保存される。そのため、電力回復時には、不揮発性メモリに保存されているアドレス情報を用いて停電発生時にフォーマット中又はデータの書き込み中であった領域からフォーマット又はデータの書き込みを続行することができる。
【００１６】
請求項３の発明によれば、不揮発性メモリとして光ディスクに設けられたＩＣタグを用いているので、電力回復後に光ディスクが光ディスクレコーダから取り出されたとしても、ＩＣタグに記憶されたアドレス情報は失われることはない。そのため、再度その光ディスクを光ディスクレコーダに装填すると、停電発生時にフォーマット中又はデータの書き込み中であった領域からフォーマット又はデータの書き込みを続行することができる。
【発明を実施するための最良の形態】
【００１７】
本発明の一実施の形態に係る光ディスクレコーダについて説明する。本実施の形態の光ディスクレコーダのブロック構成を図１に示す。なお、図１は光ディスクレコーダの一例として、ＤＶＤ（Digital Versatile Disk)にテレビジョン（ＴＶ）放送信号を記録するＤＶＤレコーダの構成を示している。なお、本発明の光ディスクレコーダはＤＶＤレコーダに限定されるものではなく、その他の光ディスクに対してデータの書き込み及び読み出しができるものであればよい。
【００１８】
光ディスクレコーダ１は、ＤＶＤ−ＲやＤＶＤ−ＲＷなどの光ディスク２に対してデータの書き込み及び読み出しを行うフロントエンド部１０、ＴＶ放送信号を受信するチューナ１１、チューナ１１により受信したＴＶ放送信号に所定の信号処理を行い、光ディスクに書き込み可能なディジタル信号（以下、ＴＶ信号データとする）に変換する信号変換部１２、ＴＶ信号データを一時的に記憶するバッファメモリ１３、光ディスクレコーダ１の各部を制御するシステム制御部１４、光ピックアップを駆動する光ピックアップ駆動部１５、光ディスクのＩＣタグとの間でデータの送受信を行うデータ通信部１６、停電の発生及び電力の回復を検出する停電検出部１７、ディジタル信号をアナログ信号に変換してＣＲＴや液晶ディスプレイなどのモニタ装置５に出力するＤ／Ａ変換部１８、タイマーを内蔵し、番組予約などを管理する番組管理部１９などで構成されている。
【００１９】
フロントエンド部１０は、装填された光ディスク２を回転させるスピンドルモータ３と、光ディスク２に対して第１の強度のレーザ光を照射して、光ディスク２に対してフォーマット及びデータの書き込みを行い、光ディスク２に対して第１の強度よりも弱い第２の強度のレーザ光を照射して、光ディスク２からの反射光を用いて光ディスク２からデータ及びアドレス情報を読み出す光ピックアップ４などを備えている。
【００２０】
信号変換部１２は、チューナ１１により受信したＴＶ放送信号を光ディスク２に記録する場合、ディジタル信号に変換し、さらにビデオレコーディング規格に従って圧縮符号化する。そして、圧縮符号化されたＴＶ信号データを一旦バッファメモリ１３に記憶させる。光ディスクレコーダ１では、光ピックアップ４により光ディスク２に対してＴＶ信号データを書き込んだり、あるいは光ディスク２からＴＶ信号データを読み出したりする速度の方が、チューナ１１によりＴＶ放送信号を受信する速度よりも速い。そのため、光ディスク２にＴＶ番組を録画しながら、すでに録画した部分を再生する「追っかけ再生」などが可能である。
【００２１】
停電検出部１７は、例えば内蔵２次電池（一般的にいうバックアップ用電源とは異なる）によって駆動され、例えば商用交流電源などで停電が発生したことを検出すると共に、停電が発生した事実をフラッシュメモリなどの不揮発性メモリに記憶する。また、電力回復時には、電力が回復したことを検出し、停電発生及び電力回復を示す所定の信号を出力する。
【００２２】
システム制御部１４は、制御プログラムなどを記憶したＲＯＭ、制御プログラムに従って演算処理を行うＣＰＵ、演算データなどを一時的に記憶するＲＡＭなどで構成されており、後述する光ディスク２のフォーマットや光ディスク２へのデータの書き込みなど光ディスクレコーダ１の諸機能を実行すると共に、チューナ１１、データ通信部１６など光ディスクレコーダ１の各部の制御を行う。
【００２３】
本実施の形態の光ディスクレコーダ１は、ＩＣタグ６及びアンテナコイル７を備えた光ディスク２に対応しており、データ通信部１６は、光ディスク２のＩＣタグ６との間でデータの送受信を行う。データ通信部１６は、アンテナコイル８を有しており、このアンテナコイル８に電流を流すことにより磁界を発生させる。この磁界中で、光ディスク２を回転させると、光ディスク２に設けられたアンテナコイル７に電流が流れ、ＩＣタグ６に電力が供給される。その際、データ通信部１６側のアンテナコイル８に流れる電流をＩＣタグに書き込むデータを用いて変調すれば、光ディスク２側のアンテナコイル７に流れる電流が変化するので、ＩＣタグ６に書き込むデータ及び書き込み命令などを送信することができる。ＩＣタグ６は、アンテナコイル７に流れる電流を復調して送信されたデータ及び書き込み命令を抽出し、データをフラッシュメモリなどの不揮発性メモリに記憶する。
【００２４】
ＩＣタグ６からデータを読み出す場合も同様に、データ通信部１６からＩＣタグ６に対して読み出し命令を送信する。読み出し命令を受信すると、ＩＣタグ６は、内蔵する不揮発性メモリから送信するデータを読み出し、読み出したデータを用いてアンテナコイル７に流れる電流を変調する。光ディスク２側のアンテナコイル７に電流が流れると、データ通信部１６側のアンテナコイル８に流れる電流によって発生される磁界と逆向きの磁界が発生され、データ通信部１６側のアンテナコイル８に流れる電流に影響を及ぼす。そのため、データ通信部１６側で、アンテナコイル８に流れる電流の変化を検出し、復調することによって、ＩＣタグ６から送信されたデータを読み出すことができる。
【００２５】
光ディスク２にデータを書き込む場合、あらかじめ光ディスク２をフォーマットする必要がある。従って、通常新品の光ディスク２を光ディスクレコーダ１に装填すると、光ディスクレコーダ１は光ディスク２のフォーマットを開始する。周知のように、ディジタルデータを光ディスクなどの記録媒体に記録する場合、セクタ単位でデータが記録され、セクタごとにアドレス番号が付されている。そして、光ディスク２の記録領域は、あらかじめセクタ単位に仕切られ、セクタごとにアドレス番号を表すピットが形成されている。
【００２６】
次に、本実施の形態の光ディスクレコーダ１の動作について、図２に示すフローチャートを参照しつつ説明する。
【００２７】
光ディスクレコーダ１は、１セクタごと又は所定数のセクタごとにフォーマットを実行すると（Ｓ１）、フォーマットが完了したアドレス番号データ（フォーマットが完了した範囲を示すアドレス情報に相当）を順次光ディスク２のＩＣタグ６に書き込む（Ｓ２）。一方、チューナ１１により受信したＴＶ放送信号を光ディスク２に記録する場合も同様に、信号変換部１２によりディジタル信号に変換されたＴＶ信号データを、セクタ単位で光ディスク２の記録可能領域における各セクタに順に書き込む（Ｓ１）。その際、ＴＶ信号データが書き込まれたセクタのアドレス番号データ（データの書き込みが完了した範囲を示すアドレス情報に相当）をＴＶ信号データが書き込まれた順に光ディスク２のＩＣタグ６に書き込む（Ｓ２）。
【００２８】
フォーマットの途中やＴＶ信号データの書き込みの途中で停電が発生した場合（Ｓ３でＹＥＳ）、光ディスクレコーダ１はバックアップ用の電源を有していないので、直ちにほぼすべての機能が停止する。停電発生の際フォーマット又はＴＶ信号データの書き込みが実行されていたセクタに関しては、フォーマット又はＴＶ信号データの書き込みが完了していない状態で終了し、いわゆるデータが破壊された状態となる。また、バッファメモリ１３に記憶されていたＴＶ信号データも失われる。
【００２９】
バックアップ用電源を有していない従来の光ディスクレコーダにおいて、電力が回復すると、フォーマットが完了していない光ディスクに対しては、最初からフォーマットを開始する。また、ＴＶ信号データの書き込みが完了していない光ディスクに対しては、そのデータファイルが破壊されているので、正常にＴＶ信号データが書き込まれた部分も含めてそのデータファイルを開くことができない。しかしながら、前述のように本実施の形態に係る光ディスクレコーダ１は、停電の発生及び電力の回復を検出する停電検出部１７を備えており、停電が発生したことを不揮発性メモリに記憶している。そして、停電検出部１７が電力の回復を検出すると（Ｓ４でＹＥＳ）、停電発生及び電力回復を示す所定の信号を出力する（Ｓ５）。
【００３０】
システム制御部１４は、停電検出部１７からの所定の信号に応じて、データ通信部１６を介してＩＣタグ６からフォーマット又はＴＶ信号データの書き込みが完了しているセクタのアドレス番号データを読み出す（Ｓ６）。そして、読み出したアドレス番号の次のアドレス番号のセクタからフォーマット又はＴＶ信号データの書き込みを続行する（Ｓ７）。
【００３１】
このように、本実施形態の光ディスクレコーダ１によれば、ＩＣタグ６及びアンテナコイル７を備えた光ディスク２を用いた場合に、データ通信部１６と光ディスク２のＩＣタグ６との間でデータの送受信を行い、光ディスク２上のすでにフォーマット又はＴＶ信号データの書き込みが完了した領域に関するアドレス番地データ（アドレス情報）を不揮発性メモリであるＩＣタグ６に順次書き込まれるので、フォーマット中又はＴＶ信号データの書き込み中に停電が発生しても、アドレス番地データはそのままＩＣタグ６に保存される。そのため、電力回復時には、ＩＣタグ６に保存されているアドレス番地データを読み出すことにより、すでにフォーマット又はデータの書き込みが完了した領域及び停電発生時にフォーマット中又はＴＶ信号データの書き込み中であった領域を知ることができる。そして、停電発生時にフォーマット中又はＴＶ信号データの書き込み中であった領域からフォーマット又はＴＶ信号データの書き込みを続行すれば、すでに行ったフォーマットが無効になることはなく、また、すでに書き込まれたＴＶ信号データが破壊されることなく再生可能となる。その結果、バックアップ電源を用いることなく、フォーマットの無効又は書き込まれたＴＶ信号データ（又はデータファイル）の破壊を防止することができる。
【００３２】
なお、チューナ１１により受信したＴＶ放送信号を光ディスク２に録画しているときに停電が発生した場合、停電発生によりＴＶ放送信号自体の受信ができなくなるので、ＴＶ番組のうち停電中の部分が欠落する。しかしながら、停電によるデータ破壊によりＴＶ番組自体が再生できなくなるよりは、被害を軽減することができる。
【００３３】
また、ＩＣタグ６は不揮発性メモリであるので、バックアップ電源が不要となり、光ディスクレコーダ１の大型化やコストアップをもたらすこともない。さらに、ＩＣタグ６は光ディスク２自体に設けられているので、電力回復後に光ディスク２が光ディスクレコーダ１から取り出されたとしても、ＩＣタグ６に記憶されたアドレス番地データは失われることはない。そのため、再度その光ディスク２を光ディスクレコーダ１に装填すると、停電発生時にフォーマット中又はデータの書き込み中であった領域からフォーマット又はＴＶ信号データの書き込みを続行することができる。
【００３４】
なお、ＩＣタグ６の内蔵不揮発性メモリの容量は、記憶するデータのボリュームに応じて任意に設定することができる。また、ＩＣタグ６を有しない光ディスク２に対しては、上記の効果は奏しないが、通常のデータの書き込み及び読み出しができることは言うまでもない。さらに、光ディスク２に書き込まれるデータは上記ＴＶ信号データに限定されず、インターネットを介してダウンロードしたデータなど、その他のデータであってもよい。
【図面の簡単な説明】
【００３５】
【図１】本発明の一実施の形態に係る光ディスクレコーダのブロック構成を示す図。
【図２】上記光ディスクレコーダの動作を示すフローチャート。
【符号の説明】
【００３６】
１  光ディスクレコーダ
２  光ディスク
４  光ピックアップ
６  ＩＣタグ
７  （光ディスク側の）アンテナコイル
８  （データ通信部側の）アンテナコイル
１０  フロントエンド部
１１  チューナ
１２  信号変換部（信号変換手段）
１３  バッファメモリ
１４  システム制御部（制御手段）
１５  光ピックアップ駆動部（光ピックアップ駆動手段）
１６  データ通信部（データ通信手段）
１７  停電検出部（停電検出手段）
【図１】
2005302225.tif 000003
【図２】
2005302225.tif 000004